(57)【特許請求の範囲】
【請求項１】
冷凍室と冷蔵室とに区画して、冷気を冷凍室に伝達すると共に冷蔵室に冷蔵室後端側から伝達する一方、これら冷凍室と冷蔵室内部を循環した冷気を蒸発器側に帰還させる冷蔵庫において、冷凍室の内部を循環した冷気を抽出して冷蔵室ドア側に案内する冷気抽出流路と、前記冷気抽出流路に連通されてドアに設置され、供給される冷気をドア側から冷蔵室の内部に供給するドア流路と、前記冷気抽出流路中に、前記ドア流路に伝達される冷気を断続する冷気調節装置とを含んで構成されることを特徴とする冷蔵庫の冷気供給システム。
【請求項２】
前記冷気抽出流路は、前記冷凍室の内部を循環した冷気を帰還させる冷気帰還流路と、前記冷気帰還流路から分岐され、冷蔵室と冷凍室を区画するバリヤーの内部を通過し、その出口が冷蔵庫本体の前面に形成された冷気案内流路とから構成されることを特徴とする請求項１記載の冷蔵庫の冷気供給システム。
【請求項３】
前記冷気抽出流路は、前記冷凍室の内部を循環した冷気を帰還させる冷気帰還流路と、前記冷気帰還流路から分岐され、冷蔵室の側壁を経て冷蔵庫本体の前面に出口が形成された冷気案内流路とから構成されることを特徴とする請求項１記載の冷蔵庫の冷気供給システム。
【請求項４】
前記ドア側には冷蔵室ドア側の温度を感知するための温度感知手段が更に備えられ、前記冷気調節装置は前記温度感知手段の感知温度に基づいて制御されることを特徴とする請求項１記載の冷蔵庫の冷気供給システム。
【請求項５】
前記ドア流路はドアの内面一側に設置されドアバスケットと冷蔵室の内部に冷気を吐き出すことを特徴とする請求項１記載の冷蔵庫の冷気供給システム。
【請求項６】
前記ドアには前記冷気案内流路から冷気を受ける急冷ポケットが更に備えられることを特徴とする請求項１記載の冷蔵庫の冷気供給システム。
【請求項７】
前記急冷ポケットには冷気を蓄積する蓄冷剤が備えられて、急冷ポケットに貯蔵される貯蔵物を急冷させることを特徴とする請求項６記載の冷蔵庫の冷気供給システム。
【請求項８】
冷凍室と冷蔵室とに区画して、冷気を冷凍室に伝達すると共に冷蔵室に冷蔵室後端側から伝達する一方、これら冷凍室と冷蔵室内部を循環した冷気を蒸発器側に帰還させる冷蔵庫において、冷凍室の内部を循環した冷気を抽出して冷蔵室ドア側に案内する冷気抽出流路と、前記冷気抽出流路に連通されてドアに設置され、供給される冷気をドア側から冷蔵室の内部に供給するドア流路とを備え、前記冷気抽出流路は、冷凍室ドアに形成され冷凍室内部の冷気を抽出する冷凍室ドア流路と、前記冷凍室ドア流路に連通され、前記ドア流路に冷気を供給する連結流路とから構成されることを特徴とする冷蔵庫の冷気供給システム。
【請求項９】
前記連通手段は冷凍室ドアと冷蔵室ドアを回動可能に支持するヒンジの内部に貫通設置されて前記冷凍室ドア流路と冷蔵室ドア流路を互いに連通させるヒンジ流路であることを特徴とする請求項８記載の冷蔵庫の冷気供給システム。
【発明の詳細な説明】
【０００１】
【発明の属する技術分野】
本発明は冷蔵庫に関するもので、より詳しくは冷蔵室内部の温度を全体的に均一に維持し得るように冷気供給を遂行する冷蔵庫の冷気供給システムに関するものである。
【０００２】
【従来の技術】
図１３及び１４には従来の冷蔵庫構造及び冷気供給のための構造が示されている。
これらの図に示すように、冷蔵庫１は内部に断熱材が充填されたバリヤー５により冷凍室２と冷蔵室４とに区分される。そして、前記冷凍室２と冷蔵室４はそれぞれドア２ｄ，４ｄにより開閉可能である。一般に、前記冷蔵室４のドア４ｄの内側には貯蔵物を収納するためバスケット１４が多段に設置される。
【０００３】
そして、冷気が冷凍室２と冷蔵室４に供給されることを説明すると次のようである。低温低圧の冷媒が内部を通過する蒸発器６で熱交換された冷気の一部は送風ファン８によりシュラウド１２を介して冷凍室２に供給される。冷気の残部は冷蔵室ダクト１０を通じて自由落下して冷蔵室４に供給される。すなわち、前記冷蔵室ダクト１０を通じて自由落下した冷気は冷蔵室ダクト１０の前面に冷蔵室４の内部に向かって開放された多数の冷気吐出口１０ａを通じて冷蔵室４に供給される。
【０００４】
このようにそれぞれ冷凍室２と冷蔵室４に供給された冷気はそれぞれ貯蔵物と熱交換しつつ相対的に高温になる。このように高温になった空気はバリヤー５の内部に形成された冷凍室帰還ダクト２ａ及び冷蔵室帰還ダクト４ａを通じて再度蒸発器６に移動することになる。
【０００５】
ところで、一般的な冷蔵庫１において、冷蔵室４はその容積が冷凍室２に比べて大きいため、相対的に冷気が冷蔵室４の内部で均等に循環されない問題点がある。すなわち、冷気が前記冷蔵室ダクト１０のみから冷蔵室４に供給されるので、冷蔵室４の内側部に比べてドア４ｄの温度が相対的に高くなる。特に、ドア４ｄを頻繁に開閉すると、外部の空気が冷蔵室４に流入されて、ドア４ｄ付近の温度が相対的に高く維持される。したがって、冷蔵庫ドアのバスケット１４に保管される貯蔵物の新鮮度が長く維持されない問題点が発生する。
【０００６】
【発明が解決しようとする課題】
本発明は前記のような従来の問題点を解決するためのもので、その目的は冷蔵室内部の温度を全体的に均一に維持し得る冷気供給システムを提供することである。
本発明のほかの目的は冷蔵室ドア付近に集中的に冷気を供給し得る冷気供給システムを提供することである。
本発明のさらに他の目的は冷蔵室ドアに急冷が行える急冷空間を提供することである。
本発明のさらに他の目的は冷蔵室の内部空間を十分に確保するとともにドア側に冷気を十分に案内し得る冷気供給システムを提供することである。
【０００７】
【課題を解決するための手段】
前記のような目的を達成するための本発明の特徴によると、本発明は、冷凍室と冷蔵室とに区画して、冷気を冷凍室に伝達すると共に冷蔵室に冷蔵室後端側から伝達する一方、これら冷凍室と冷蔵室内部を循環した冷気を蒸発器側に帰還させる冷蔵庫において、冷凍室の内部を循環した冷気を抽出して冷蔵室ドア側に案内する冷気抽出流路と、前記冷気抽出流路に連通されてドアに設置され、供給される冷気をドア側から冷蔵室の内部に供給するドア流路と、前記冷気抽出流路中に、前記ドア流路に伝達される冷気を断続する冷気調節装置とを含んで構成される。
【０００８】
前記冷気抽出流路は、前記冷凍室の内部を循環した冷気を帰還させる冷気帰還流路と、前記冷気帰還流路から分岐され、冷蔵室と冷凍室を区画するバリヤーの内部を通過し、その出口が冷蔵庫本体の前面に形成された冷気案内流路とから構成できる。
【０００９】
前記冷気抽出流路は、前記冷凍室の内部を循環した冷気を帰還させる冷気帰還流路と、前記冷気帰還流路から分岐され、冷蔵室の側壁を経て冷蔵庫本体の前面に出口が形成された冷気案内流路とから構成できる。
【００１０】
前記ドア側には冷蔵室ドア側の温度を感知するための温度感知手段が更に備えられ、前記冷気調節装置は前記温度感知手段の感知温度に基づいて制御できる。
前記ドア流路はドアの内面一側に設置されドアバスケットと冷蔵室の内部に冷気を吐き出す。
【００１１】
前記ドアには前記冷気案内流路から冷気を受ける急冷ポケットが更に備えられる。
前記急冷ポケットには冷気を蓄積する蓄冷剤が備えられて、急冷ポケットに貯蔵される貯蔵物を急冷させる。
【００１２】
前記冷気抽出流路は、冷凍室ドアに形成され冷凍室内部の冷気を抽出する冷凍室ドア流路と、前記冷凍室ドア流路に連通され、前記ドア流路に冷気を供給する連結流路とから構成できる。
【００１３】
前記連通手段は冷凍室ドアと冷蔵室ドアを回動可能に支持するヒンジの内部に貫通設置されて前記冷凍室ドア流路と冷蔵室ドア流路を互いに連通させるヒンジ流路でありえる。
【００１４】
前記冷蔵室ドア流路から冷気を吐き出す出口は冷蔵室ドアの内面一側に設置されるドアバスケットと冷蔵室の内部に冷気を吐き出すように形成できる。
【００１５】
【発明の実施の形態】
以下、前記のような本発明の好ましい実施の形態を添付図面を参照して詳細に説明する。
まず、図１ないし図４には本発明の第１の実施の形態が示されている。図１及び図２に示すように、冷蔵庫本体２０の内部上端、つまり冷凍室２１の後端には送風ファン２５と蒸発器２３などが設置され、前記蒸発器２３で熱交換された冷気が前記送風ファン２５により冷凍室２１に伝達される。
【００１６】
そして、冷凍室２１と冷蔵室３０を区画するバリヤー４０の内部には冷凍室２１と冷蔵室３０の内部を循環した冷気を蒸発器２３側に帰還させる冷凍室帰還ダクト４２，４２′及び冷蔵室帰還ダクト４４が形成されている。ここで、冷凍室の内部を循環した冷気を帰還させる冷凍室帰還ダクト４２，４２′は冷蔵室の内部を循環した冷気を帰還させる冷蔵室帰還ダクト４４の両側にそれぞれ設置されている。
【００１７】
そして、前記送風ファン２５により伝達される冷気のうち、冷凍室２１に供給されてから残ったものを冷蔵室３０の内部に伝達する冷蔵室ダクト３２が冷蔵室３０の後端に設置されている。前記冷蔵室ダクト３２には多数の吐出孔３３が所定間隔に形成されて、図２で矢印で示すように高さ別に冷気を吐き出す。
【００１８】
一方、前記一側冷凍室帰還ダクト４２には分岐ダクト４６が連通される。前記分岐ダクト４６は、図２に示されるように、バリヤー４０の内部を通過し、その出口４６ａがドア５０と当接する冷蔵庫本体の前面まで延長されている。
【００１９】
そして、前記分岐ダクト４６の一側には分岐ダクト４６を通ずる冷気供給を断続する冷気調節装置４８が設置されている。このような冷気調節装置４８はドアバスケット５２部分の温度（またはドアバスケット５２部分の温度を示し得る冷蔵室３０内部の温度）によって制御される。すなわち、ドアバスケット５２部分の温度が基準温度より高ければ分岐ダクト４６を開放し、低ければ分岐ダクト４６を遮断することになる。
【００２０】
このための温度データは冷蔵室３０の一側に設置されている温度センサー３５が提供する。前記温度センサー３５は冷蔵室３０においてドアバスケット５２に最も隣接した部分に付着されるか、ドアバスケット５２に直接付着できる。
このような冷気調節装置４８は既に公知されたものを使用し得る。すなわち、手動で冷気遮断板４９を動作させて冷気の供給を遮断するものを使用するか、前記温度センサー３５で感知された温度データに基づいて冷気遮断板４９を自動に開閉する従来の技術を使用することもできる。
【００２１】
一方、前記分岐ダクト４６の出口４６ａに対応するドア５０上の位置にドアダクト５３の入口５３ａがある。前記分岐ダクト４６の出口４６ａとドアダクト５３の入口５３ａは、前記ドア５０が閉じたとき、互いに連通されて、前記分岐ダクト４６からドアダクト５３に冷気が供給される。
【００２２】
前記ドアダクト５３はドア５０の内面に設置されたもので、ドア５０の上方から下方に延長された垂直ダクト５４と、前記垂直ダクト５４から分岐されドア５０に対して水平方向に延長された水平ダクト５６とから構成される。前記水平ダクト５６は各々のドアバスケット５２の下部に左右に長く装着されるもので、多数の吐出孔５６ａが穿孔されている。
【００２３】
図３には前記水平ダクト５６がドアバスケット５２の下部に設置されるものとして示されているが、必ずしもそのように設置されるものではなく、ドア５０の内側に水平方向に設置される構成であればその位置はあまり問題とならない。しかし、実質的に前記水平ダクト５６はドアバスケット５２に内装されるようにすることが一番好ましい。
【００２４】
また、本実施の形態においては、前記吐出孔５６ａがドアバスケット５２の下端部に成形された水平ダクト５６に形成されているものとして図示し説明したが、必ずしもそのようなものではなく、ドア５０の内側冷蔵室３０の後方に冷気を供給し得るものであれば、その成形位置が制限されるものではない。
【００２５】
本実施の形態では、前記吐出孔５６ａがドアバスケット５２の下端部に沿って成形され、これを通じて吐き出される冷気がドアバスケット５２に保管中の貯蔵物に直接供給し得るようにしている。しかし、前記吐出孔５６ａの方向を、冷気がドア５０から冷蔵室３０の内側に向かって吐き出されるよう形成することもできる。
【００２６】
このように構成された本実施の形態において、冷気が循環することを説明すると次のようである。まず、前記蒸発器２３で熱交換された冷気が前記送風ファン２５により冷凍室２１あるいは冷蔵室３０に伝達される。このうち、冷蔵室３０に伝達された冷気は冷蔵室の内部を循環した後、前記バリヤー４０に備えられた冷蔵室帰還ダクト４４を介して再度蒸発器２３側に伝達される。
【００２７】
そして、冷凍室２１に伝達された冷気は冷凍室２１の内部を循環した後、冷凍室帰還ダクト４２，４２′を介して蒸発器２３に伝達される。このように蒸発器２３に帰還された冷気は前記蒸発器２３で冷媒と熱交換してから冷蔵庫の内部を循環することになる。
【００２８】
一方、前記冷凍室帰還ダクト４２を介して蒸発器２３に帰還されている冷気の一部は前記分岐ダクト４６に流動する。このように分岐ダクト４６に伝達された冷気は前記冷気調節装置４８の動作によって断続される。ここで、前記冷気調節装置４８の動作は前記温度センサー３５で感知された温度データにより行われる。
【００２９】
すなわち、前記温度センサー３５が感知した温度が所定温度よりも高くなると、前記冷気遮断板４９を開放することで、冷凍室２１の冷気が分岐ダクト４６を介してドアダクト５３に伝達されるようにする。そして、前記温度センサー３５が感知した温度が所定温度よりも低くなると、前記冷気遮断板４９が前記分岐ダクト４６を遮断して冷気がドア５０側に伝達されないようにする。
【００３０】
そして、前記ドアダクト５３に伝達された冷気は垂直ダクト５４と水平ダクト５６を通過しドアバスケット５６を通過してドアバスケット５２又は冷蔵室３０の内部に吐き出される。このようにドア５０側から吐き出された冷気は主として冷蔵室３０のドア５０に隣接した部分又はドアバスケット５２部分に供給されて、その部分の温度を下降させることになる。一般に、冷凍室２１を循環してから蒸発器２３側に帰還される冷気の温度は冷蔵室３０の内部の冷気温度より相対的に低温であるので、このような冷気の供給が可能である。
【００３１】
つぎに、図５ないし図７には本発明の第２の実施の形態が示されている。これらの図に示すように、本実施の形態では、分岐ダクト１４６がバリヤー４０の内部で前記冷凍室帰還ダクト４６から分岐されて冷蔵室３０の側壁３０ａに延長される。そして、図５又は図６に明らかに示すように、前記分岐ダクト１４６は冷蔵庫本体２０の前面まで延長される。
【００３２】
したがって、前記分岐ダクト１４６の出口１４６ａは冷蔵室３０の前面の側壁３０ａに形成される。前記分岐ダクト１４６の出口１４６ａはドア５０に形成されたドアダクト５３の入口５３ａに対応する位置に形成されることが好ましい。そして、本実施の形態のほかの構成は先に説明した第１の実施の形態の構成と同一であるので、便宜上説明を省略する。
【００３３】
このように冷蔵室３０の側壁３０ａを通じて分岐ダクト１４６を設置することは、バリヤー４０の内部に設置する場合に比べて次のような構成上の利点がある。より具体的に、バリヤー４０の内部に分岐ダクト１４６の全部を内設するためには、別の射出物である分岐ダクト１４６をバリヤーの内部に冷凍室帰還ダクト４２に連通するように設置した後、断熱のための発泡ポリスチレンを充填すべきである。しかし、本実施の形態のような構造によるとこのような工程上の難しさを解決することができる。
【００３４】
例えば、冷蔵室の側壁３０ａを通じて分岐ダクト１４６の一部を形成することは、発泡ポリスチレンの充填を全く行った後に冷蔵室の側壁３０ａに別の分岐ダクト１４６を形成し得る作業上の容易性がある。
【００３５】
そして、前記分岐ダクト１４６のうち、冷蔵室の側壁３０ａに設置される部分は側壁３０ａの内部に全く内装するか、側壁３０ａから突出した状態にすることもできる。また、前記分岐ダクト１４６の内部に流れる冷気の断熱のため、分岐ダクト１４６と冷蔵室の側壁３０ａ間に断熱材を介在することが好ましい。
このような本発明の第２の実施の形態において冷気が循環することは前記第１の実施の形態と同一であるので、便宜上説明を省略する。
【００３６】
つぎに、図８ないし図１０には本発明の第３の実施の形態が示されている。これらの図に示すように、冷凍室帰還ダクト４２とバリヤー４０の内部で連通するように分岐ダクト１４６が形成されている。このような分岐ダクト１４６はバリヤー４０の内部で冷蔵庫本体２０の前面まで延長されるか、冷蔵室の側壁３０ａを介して冷蔵庫本体２０の前面まで延長できる。前記分岐ダクト１４６の一側には分岐ダクト１４６を通過する冷気を断続する冷気調節装置４８が設置されている。冷気調節装置４８については前記第１の実施の形態で説明したので、それ以上の説明は省略する。
【００３７】
そして、前記分岐ダクト１４６の出口１４６ａに対応するドア５０上の位置に入口５３ａが形成されたドアダクト５３がドア５０に設置される。このようなドアダクト５３には、前記入口５３ａからドア５０に対して垂直下方に設置された垂直ダクト５４が備えられる。
【００３８】
前記ドアダクト５０の内側には別のケースである急冷ポケット６０が設置されている。このような急冷ポケット６０は前記垂直ダクト５４を介して供給された冷気により急冷作用をする。前記急冷ポケット６０は急冷を必要とする貯蔵物を冷却させるための別の内部ケースである。
【００３９】
前記急冷ポケット６０の下端部には蓄冷剤６１が設置されており、前記蓄冷剤６１には熱伝導性の高い金属板６３が設置されている。このような金属板６３としてはいろいろのものがある。例えば、アルミニウム板を使用し得る。前記構成によると、前記蓄冷剤６１が垂直ダクト５４を介して供給された冷気により常に所定冷却温度を維持することになり、前記蓄冷剤６１から金属板６３を介して急冷ポケット６０の内部に冷気が伝導される。
【００４０】
一方、前記急冷ポケット６０の一面を蓄冷剤の一面として直接構成する変形例も十分に可能である。
そして、前記垂直ダクト５４にはドア５０に対して水平な水平ダクト５６が設置される。
そして、前記水平ダクト５６には冷蔵室３０に冷気を吐き出す冷気吐出口（図示せず）が多数穿孔されている。前記冷気吐出口の穿孔方向あるいは位置は前記第１の実施の形態で十分に説明された。したがって、前記垂直ダクト５４を介して水平ダクト５６に伝達された冷気は前記水平ダクトの冷気吐出口５６ａを通じて冷蔵室に吐き出される。
【００４１】
また、前記急冷ポケット６０に冷気を供給する変形例として、急冷ポケット６０の内部に垂直ダクト５４から直接冷気を供給することもできる。このような場合には、前記急冷ポケット６０の一側に、急冷ポケット６０に流入された冷気を冷蔵室３０に吐き出し得る吐出口を形成することが好ましい。
【００４２】
そして、前記急冷ポケット６０で冷凍室２１あるいは冷蔵室３０に供給される冷気を直接案内して供給することもできる。例えば、冷蔵室ダクト３２の上端部に分岐ダクトを連通させて、冷蔵室３０に供給される冷気の一部を前記ドアダクト５３に伝達することもできる。
【００４３】
このような構成を有する本実施の形態において、前記急冷ポケット６０に冷気が伝達されることを説明する。冷凍室２１の内部を循環した後、冷凍室帰還ダクト４２を介して再度蒸発器２３に流動する冷気の一部が前記分岐ダクト１４６に案内される。この際に、前記分岐ダクト１４６の一側にある冷気調節装置４８は冷蔵室３０の内部一側（例えば、急冷ポケット６０の内部）の温度センサーが感知した温度に基づいて制御される。
【００４４】
すなわち、前記急冷ポケット６０の内部温度が所定の基準温度以上であれば、前記冷気調節装置４８が前記分岐ダクト１４６を開放することで、冷気がドアダクト５３側に移動し得ることになる。このようにドアダクト５３に伝達された冷気は垂直ダクト５４を介して移動して前記急冷ポケット６０の蓄冷剤６１に冷気を蓄積させる。前記蓄冷剤６１に蓄積された冷気は前記急冷ポケット６０の内部に貯蔵された貯蔵物を急冷させることになる。
【００４５】
そして、前記垂直ダクト５４に連通されている水平ダクト５６の冷気吐出口を通じてドアバスケット５２と冷蔵室３０の内部に吐き出される。このように前記冷蔵室ダクト３２とドアダクト５３を介して冷蔵室３０の前後から吐き出された冷気は冷蔵室３０の内部を循環してから前記冷蔵室帰還ダクト４４を介して蒸発器２３側に帰還される。
【００４６】
終わりに、図１１及び図１２には本発明の第４の実施の形態が示されている。これらの図に示すように、本発明の第４の実施の形態は冷凍室２１の内部で循環する冷気の一部をヒンジ９０を介して冷蔵室３０のドア８０側からドアバスケット８２と冷蔵室３０の内部に供給するものである。
【００４７】
このため、冷凍室ドア７０には冷凍室ドアダクト７２が形成されている。このような冷凍室ドアダクト７２の入口７２ａは前記冷凍室ドア７０の内面に形成されている。このような冷凍室ドアダクト７２の出口７２ｂは冷凍室７０と冷蔵室ドア８０を回動可能に支持するヒンジ９０の内部に形成されたヒンジダクト９２に連通される。
【００４８】
ここで、ヒンジ９０は冷凍室ドア７０と冷蔵室ドア８０を回動可能に支持する部材を総称する概念として使用され、冷凍室ドア７０と冷蔵室ドア９０を回動可能に支持する構造を構成するブッシュ９０ａ，９０ｂとワッシャ９０ｃなどを包含する概念である。前記ヒンジ９０を上下に貫通してヒンジダクト９２が設置されている。前記ヒンジダクト９２は前記冷凍室ドアダクト７２と後述する冷蔵室ドアダクト８４を互いに連通させる役割をする。
【００４９】
一方、冷蔵室ドア８０には前記ヒンジダクト９２に連通される冷蔵室ドアダクト８４が形成されている。前記冷蔵室ドアダクト８４の入口８４ａは前記ヒンジダクト９２に連結される。そして、前記冷蔵室ドアダクト８４の出口８４ｂは前記冷蔵室ドア７０の内面に形成され、冷蔵室３０の内側又はドア８０のドアバスケット８２に冷気を吐き出すようにする。ここで、前記冷蔵室ドアダクト８４に前述した実施の形態の水平ダクトの役割をするダクトを連結することにより、冷気がドアバスケット８２と冷蔵室３０にもっと均一に供給されるようにすることもできる。
その他の構成は前述した実施の形態と同一であるので、便宜上それ以上の説明は省略する。
【００５０】
このような構造を有する本実施の形態において、冷気が冷蔵庫内で循環することを説明する。蒸発器２３で熱交換された冷気の一部は送風ファン２５により冷凍室２１の内部に供給され、残部は冷蔵室ダクト３２に沿って移動される。前記冷蔵室ダクト３２に移動された冷気は冷蔵室ダクト３２に形成された冷気吐出孔３２ａを通じて冷蔵室３０に吐き出される。
【００５１】
一方、前記冷凍室２１に供給された冷気の一部は前記冷凍室７０の冷凍室ドアダクト７２に流動する。このように冷凍室ドアダクト７２に流動された冷気は前記ヒンジダクトを介して冷蔵室ドアダクト８４に移動する。前記冷蔵室ドアダクト８４に移動された冷気はその出口８４ｂを通じて冷蔵室３０に供給される。このように冷蔵室ドアダクト８４を通じて冷蔵室３０に供給される冷気は実質的に冷蔵室３０の前方から後方に流動することになる。
【００５２】
したがって、前記冷蔵室３０の内部は前記冷蔵室ダクト３２と冷蔵室ドアダクト８４を介して供給される冷気により立体的冷却が可能になる。そして、冷蔵室３０を循環した冷気はバリヤー４０に形成された冷蔵室帰還ダクト４４を介して蒸発器２３に帰還される。
【００５３】
この際に、前記冷蔵室ドアダクト８４から吐き出される冷気がドアバスケット８２を介して冷蔵室３０の内部に伝達されるように前記吐出口８４ｂを形成すると、ドアバスケット８２に貯蔵される貯蔵物をより新鮮に保管し得ることになる。
このような本実施の形態を使用すると相対的に冷蔵室３０の内部空間を効率的に使用し得ることになる。
【００５４】
【発明の効果】
以上説明したように、本発明による冷蔵庫の冷気供給システムは、相対的に低温の冷凍室側の冷気を冷蔵室ドアの前方から後方に吐き出すようにした。したがって、蒸発器側から冷蔵室ダクトを介して後方から前方に吐き出される冷気とともに冷蔵室の内部を均一に冷却させることになる。
このような冷気供給システムによると、冷蔵室内部の温度偏差が低下し、特にドアの頻繁な開閉により温度が相対的に高くなりやすい冷蔵室の前方部分又はドアバスケット部分に冷気を円滑に供給し得ることになる。
【図面の簡単な説明】
【図１】本発明による冷蔵庫の冷気供給システムの第１の実施の形態の内部構造を示す正面図である。
【図２】本発明の第１の実施の形態の内部構造を示す側断面図である。
【図３】本発明の第１の実施の形態が適用された冷蔵庫ドアの内側を示す正面図である。
【図４】本発明の第１の実施の形態を構成する冷気調節装置の一例を示す概略断面図である。
【図５】本発明による冷蔵庫の冷気供給システムの第２の実施の形態の内部構造を示す正面図である。
【図６】本発明の第２の実施の形態の内部構造を示す側断面図である。
【図７】本発明の第２の実施の形態が適用された冷蔵庫ドアの内側を示す正面図である。
【図８】本発明による冷蔵庫の冷気供給システムの第３の実施の形態の内部構造を示す側断面図である。
【図９】本発明の第３の実施の形態が適用された冷蔵庫ドアの内側を示す正面図である。
【図１０】図９のＡ部の詳細図である。
【図１１】本発明による冷蔵庫の冷気供給システムの第４の実施の形態の構成を示す側断面図である。
【図１２】本発明の第４の実施の形態の詳細構成を示す図１１のＡ部詳細図である。
【図１３】従来の技術による冷蔵庫の内部構造を示す正面図である。
【図１４】従来の技術による冷蔵庫の内部構造を示す側断面図である。
【符号の説明】
２０…冷蔵庫本体
２１…冷凍室
２３…蒸発器
２５…送風ファン
３０…冷蔵室
３２…冷蔵室ダクト
３３…吐出孔
３５…温度センサー
４０…バリヤー
４２，４２′…冷凍室帰還ダクト
４４…冷蔵室帰還ダクト
４６，１４６…分岐ダクト
４８…冷気調節装置
４９…冷気遮断板
５０，８０…冷蔵室ドア
５２，８２…ドアバスケット
５３…ドアダクト
５４…垂直ダクト
５６…水平ダクト
６１…蓄冷剤
６３…金属板
７０…冷凍室ドア
７２…冷凍室ドアダクト
８４…冷蔵室ドアダクト
９０…ヒンジ
９２…ヒンジダクト
【図１】
0004018238.tif 000002
【図２】
0004018238.tif 000003
【図３】
0004018238.tif 000004
【図４】
0004018238.tif 000005
【図５】
0004018238.tif 000006
【図６】
0004018238.tif 000007
【図７】
0004018238.tif 000008
【図８】
0004018238.tif 000009
【図９】
0004018238.tif 000010
【図１０】
0004018238.tif 000011
【図１１】
0004018238.tif 000012
【図１２】
0004018238.tif 000013
【図１３】
0004018238.tif 000014
【図１４】
0004018238.tif 000015